(57)【要約】ミッドソール本体２９における第１領域Ｄ１の下部には下方に向って開口し、かつ、上下に延びる軸線のまわりの内周面を有する３個以上の孔が前後方向Ｙに互いに離間して形成され、３個以上の埋設部が設けられ、前記各埋設部は軸線のまわりの外周面を有し各孔に嵌まり込んだ状態でミッドソール本体２９に埋設されており、各埋設部はミッドソール本体２０，２９およびアウトソール５，５Ａよりも硬い樹脂からなる硬質部材４で形成され、硬質部材４はミッドソール本体２９の下面において前後方向Ｙに各埋設部を互いに連結する連結部を包含する。
2010049983.tif 000002
【特許請求の範囲】
【請求項１】
プロネーションを抑制するのに適した靴底であって、
前記靴底は前足部、中足部および後足部が足の前後方向に連なり、
上面および下面を有し着地の衝撃を緩衝するミッドソールと、
前記ミッドソールの下面に接合される接合面と路面に接地する接地面を有するアウトソールとを備え、
前記ミッドソールは樹脂の発泡体で形成されたミッドソール本体を有し、
前記ミッドソール本体は、前記中足部の内側および／または前記後足部の内側を含む第１領域と、前記前足部、中足部および後足部における前記第１領域以外の第２領域に設けられ、
前記ミッドソール本体における前記第１領域の下部には下方に向って開口し、かつ、上下に延びる軸線のまわりの内周面を有する３個以上の孔が前記前後方向に互いに離間して形成され、
３個以上の埋設部が設けられ、
前記各埋設部は前記軸線のまわりの外周面を有し前記各孔に嵌まり込んだ状態で前記ミッドソール本体に埋設されており、
前記各埋設部は前記ミッドソール本体およびアウトソールよりも硬い樹脂からなる硬質部材で形成され、
前記硬質部材は前記ミッドソール本体の下面において前記前後方向に前記各埋設部を互いに連結する連結部を包含する靴底。
【請求項２】
請求項１において、前記第１領域の前記前後方向の中間部分には、前記孔のうち前記軸線に直交する断面における断面積の最も大きい第１孔が配置されている靴底。
【請求項３】
請求項１において、前記第１領域の前記前後方向の中間部分には、前記埋設部のうち高さの最も高い第１埋設部が配置されている靴底。
【請求項４】
請求項１において、前記埋設部のうち最も高さの高い第１埋設部が踵骨の前部の内側または前記踵骨の前部よりも内側に配置され、
前記第１埋設部よりも後方に行くに従い前記第１埋設部以外の各埋設部の高さが次第に低くなっており、
前記第１埋設部よりも前方に行くに従い前記第１埋設部以外の各埋設部の高さが次第に低くなっている靴底。
【請求項５】
請求項１において、前記アウトソールの前記接合面から前記ミッドソールの前記上面までの距離は、前記中足部の内側および後足部の内側において、前記内側の縁に近づくに従い大きく形成されており、
前記内側の縁は前記中足部において括れた括れ部を有し、
前記埋設部は前記中足部から前記後足部に５個以上設けられ、
前記中足部の内側縁および後足部の内側縁に沿った、かつ、前記括れ部に沿った形状の仮想の曲線上に前記各埋設部が配置されている靴底。
【請求項６】
請求項５において、前記各埋設部は頂面を有し、前記内側縁に近づくに従い斜め上方に向って延びるように、前記埋設部の頂面が傾斜している靴底。
【請求項７】
請求項１において、前記アウトソールの前記接合面から前記ミッドソールの前記上面までの距離は、前記中足部の内側および後足部の内側において、前記内側の縁に近づくに従い大きく形成されており、
前記各埋設部は頂面を有し、前記内側縁に近づくに従い斜め上方に向って延びるように、前記埋設部の頂面が傾斜している靴底。
【請求項８】
請求項７において、前記第１領域の前記下部よりも上方の上部に前記ミッドソール本体が更に設けられ、
頂面が傾斜した前記各埋設部の上方におけるミッドソール本体の上面に沿って前記頂面が傾斜している靴底。
【請求項９】
請求項８において、前記後足部の内側には、前記内側縁に設けた前記埋設部よりも踵骨の中央に近い部位に補助の埋設部が設けられ、
前記補助の埋設部の高さが前記内側縁に設けた埋設部よりも低い靴底。
【請求項１０】
請求項１において、前記後足部の内側に設けた前記埋設部のうち２個以上の埋設部は、踵骨の載距突起を除く踵骨の部位よりも内側に配置されている靴底。
【請求項１１】
請求項１において、前記連結部の上面が前記ミッドソール本体の前記下面に固着されている靴底。
【請求項１２】
請求項１１において、前記各埋設部の前記外周面が前記各孔の前記内周面においてミッドソール本体に固着されていることで、前記各孔のまわりの前記第１領域の前記下部が上下に圧縮変形されるのが抑制され、
これにより、前記第１領域の前記下部は、前記第１領域の上部および第２領域のミッドソール本体よりも圧縮変形しにくい靴底。
【請求項１３】
請求項１において、前記ミッドソールは前記第１領域において前記埋設部の上方を覆う非発泡体の樹脂からなるプレートを包含し、
前記ミッドソール本体は前記プレートの下面に接合された下ミッドソール本体と、前記プレートの上面に接合された上ミッドソール本体とを包含する靴底。
【請求項１４】
請求項１３において、前記各孔は前記下ミッドソール本体を上下に貫通して形成されている靴底。
【請求項１５】
請求項１において、前記ミッドソール本体の色彩と前記硬質部材の色彩とが互いに異なっており、
前記第１領域に配置された前記アウトソールは半透明のゴムで形成された視認部を有しており、前記硬質部材が前記視認部を介してアウトソールの下方から視認可能である靴底。
【請求項１６】
請求項１５において、前記アウトソールは複数のパーツからなり、前記第１領域に配置されたパーツは前記視認部の周縁にループ状に設けられた枠部と、前記視認部とが一体に形成され、
前記枠部がカーボンブラックを補強用の充填材とする黒色のゴムで形成されている靴底。
【請求項１７】
請求項１において、前記ミッドソール本体の素材のＪＩＳＣ硬度が４５°〜６５°に設定されており、前記硬質部材のＪＩＳＡ硬度が５５°〜９５°に設定されている靴底。
【発明の詳細な説明】
【技術分野】
【０００１】
本発明はプロネーションを抑制するのに適した靴底に関するものである。
【背景技術】
【０００２】
走行において、足は踵の外側から着地し、その後、前足の内側に荷重の中心が移動する。この際、踵の外反（プロネーション）が生じる。過度のプロネーションを抑制することはランニングによる脚の障害の予防に役立つ。【０００３】
ＵＳＰ６，１９９，３０２には、ミッドソールの中足部および後足部の内側が他のミッドソールの部位よりも硬い素材で形成された靴底が開示されている。
【特許文献１】ＵＳＰ６，１９９，３０２（図１）
【発明の開示】
【０００４】
しかし、硬度の大きいミッドソールと硬度の小さいミッドソールは両者の境界において急激な硬度の差が生じる。そのため、前記境界において、着用者が足裏に突き上げを感じる場合がある。
【０００５】
特開２００４−２４２６９２には過度のプロネーションの抑制を狙った靴底が開示されている。この先行技術においてはミッドソールに複数の孔が形成され、各孔に硬い突起が挿入されている。
【０００６】
しかし、この先行技術では、複数個の突起を波形プレートに接合ないし一体にインサート成形する必要がある。各突起ごとに各突起を波形プレートに一体にすることは面倒であるし、固定位置を間違え易い。
【０００７】
また、前記先行技術では後足部の内側のミッドソールに前記突起を設けている。しかし、同先行技術の図６に明示されているように、突起よりも上方のミッドソールの部分は内側の縁に近づくに従い厚く形成されている。このような内側の縁に近い部分は足が内側に倒れようとすると圧縮される。したがって、プロネーションを十分に抑制することができないだろう。
【０００８】
ＷＯ２００５／０６０７８１には、複数の硬い緩衝部分が軟らかい緩衝エレメントの貫通孔に挿入され、前記緩衝エレメントを靴底の切欠に挿入した靴底が開示されている。
【０００９】
しかし、複数の硬い緩衝部分は個々に分離されている。そのため、この先行技術においては、緩衝部分を前記エレメントに挿入する作業が面倒である。
また、前記エレメントの厚さは一定である。そのため、内側の縁に近い部分においてミッドソールが大きく圧縮されるだろう。
【００１０】
実開平４−２５５０１号には、柱状の装填体がミッドソールの貫通孔に挿入された靴底が開示されている。しかし、この先行技術は足の内外の中央部分に前記装填体が設けられており、したがって、この先行技術はプロネーションの抑制には寄与しないであろう。
【００１１】
本発明の主な目的は、足裏に突き上げを感じにくく、かつ、プロネーションを抑制し得る靴底を提供することである。
【００１２】
前記目的を達成するために、本発明にかかるプロネーションを抑制するのに適した靴底は、プロネーションを抑制するのに適した靴底であって、前記靴底は前足部、中足部および後足部が足の前後方向に連なり、上面および下面を有し着地の衝撃を緩衝するミッドソールと、前記ミッドソールの下面に接合される接合面と路面に接地する接地面を有するアウトソールとを備え、前記ミッドソールは樹脂の発泡体で形成されたミッドソール本体を有し、前記ミッドソール本体は、前記中足部の内側および／または前記後足部の内側を含む第１領域と、前記前足部、中足部および後足部における前記第１領域以外の第２領域に設けられ、前記ミッドソール本体における前記第１領域の下部には下方に向って開口し、かつ、上下に延びる軸線のまわりの内周面を有する３個以上の孔が前記前後方向に互いに離間して形成され、３個以上の埋設部が設けられ、前記各埋設部は前記軸線のまわりの外周面を有し前記各孔に嵌まり込んだ状態で前記ミッドソール本体に埋設されており、前記各埋設部は前記ミッドソール本体およびアウトソールよりも硬い樹脂からなる硬質部材で形成され、前記硬質部材は前記ミッドソール本体の下面において前記前後方向に前記各埋設部を互いに連結する連結部を包含する。
【００１３】
本発明によれば、着地の衝撃の際に硬質の埋設部は上下に殆ど圧縮変形しない。そのため、硬質の埋設部を設けた中足部および／または後足部の内側が圧縮変形しにくい。したがって、プロネーションが抑制される。
中足部の内側および／または後足部の内側は柔らかいミッドソール本体の第１領域の上部により足裏が支えられるので、足裏に突き上げを感じにくい。
【００１４】
各埋設部は大きさや高さが互いに相違する場合が多い。埋設部が連結部材で互いに連結されていることで、埋設部と孔との関係（大きさや高さ）を間違うことがない。
また、埋設部が連結部材で連結されていることで、各埋設部を纏めて各孔に装着することができるので、埋設部の装着が容易になる。
【００１５】
後述する非発泡体の樹脂からなるプレートをミッドソールが有する場合、最も高い埋設部の高さは、ミッドソール本体の厚さの５０％〜１００％程度が好ましく、ミッドソール本体の厚さの６５％〜１００％程度がより好ましく、ミッドソール本体の厚さの７５％〜１００％程度が最も好ましいだろう。
前記樹脂プレートをミッドソールが含まない場合、前記最も高い埋設部の高さは、ミッドソール本体の厚さの５０％〜９０％程度が好ましく、ミッドソール本体の厚さの６５％〜９０％程度がより好ましく、ミッドソール本体の厚さの７５％〜９０％程度が最も好ましいだろう。
なお、最も高い埋設部の高さは、１０ｍｍ〜２５ｍｍ程度が好ましいであろう。この高さが１０ｍｍ未満では外反抑制の効果が小さいであろう。一方、前記高さが２５ｍｍを超えると突き上げの生じる原因となるであろう。
埋設部の形状は円錐台が好ましいだろう。円錐台の埋設部は座屈しにくい。
最も大きい孔の平均断面積は０．５ｃｍ2 〜３．０ｃｍ2 程度が好ましい。この面積が０．５ｃｍ2 よりも小さいと孔の数を多くする必要が生じる。一方、この面積が３．０ｃｍ2 を超えると孔に嵌め込む埋設部の断面積が大きくなるため、靴底が重くなるだろう。
孔の数は各孔の大きさにもよるが２５個以下が好ましく、１５個以下が更に好ましい。孔の数が多くなりすぎると孔の断面積を小さくする必要が生じる。そのため、埋設部が細長くなるからである。
孔の数は、埋設部の数と同じ数でもよいし、１つのミッドソールの金型を兼用し複数種のミッドソールを得る場合や埋設部の数によりプロネーション抑制度合いを適宣調整しやすくする場合などは、孔の数が埋設部の数よりも多くなってもよい。
【００１６】
本発明において、孔が前後方向に互いに離間しているとは、前後方向について孔が互いに離れていればよく、１つの孔に対し斜め前方や後方に別の孔が配置されている場合も含む。  
【００１７】
「孔の内周面」とは孔の周囲が連なっていることを意味し、孔の断面は円形である必要はなく、三角形や方形、多角形などであってもよい。同様に「埋設部の外周面」とは埋設部の断面形状が円形である必要のないことを意味する。たとえば、埋設部は円筒形などの中空であってもよい。また、埋設部は頂面が閉塞された円筒形や有底円筒形であってもよい。
【００１８】
本発明において、前記第１領域の前記前後方向の中間部分には、前記孔のうち前記軸線に直交する断面における断面積の最も大きい第１孔が配置されているのが好ましい。
【００１９】
前記孔の断面積が大きいと硬質部材の断面積も大きくなり、硬質部材による剛性アップの度合いが大きくなる。この態様によれば、第１領域と第２領域の境界に近い前後の両端の孔の断面積は小さく、前後の両端の硬質部材の断面積も小さい。そのため、第１領域と第２領域の剛性の変化を感じにくい。したがって、突き上げを感じにくい。
【００２０】
本発明において孔が円錐台状である場合、孔の断面積とは平均値で判断すればよい。
【００２１】
本発明において、前記第１領域の前記前後方向の中間部分には、前記埋設部のうち高さの最も高い第１埋設部が配置されているのが好ましい。
埋設部の高さが高いと硬質部材により変形しないミッドソール本体、つまり第１領域の下部の高さも高くなる。この態様によれば、前後の両端の埋設部の高さは低いので、第１領域と第２領域の剛性の変化を感じにくい。したがって、突き上げを感じにくい。
【００２２】
本発明において、前記埋設部のうち最も高さの高い第１埋設部が踵骨の前部の内側または前記踵骨の前部よりも内側に配置され、前記第１埋設部よりも後方に行くに従い前記第１埋設部以外の各埋設部の高さが次第に低くなっており、前記第１埋設部よりも前方に行くに従い前記第１埋設部以外の各埋設部の高さが次第に低くなっているのが好ましい。
【００２３】
踵骨の前部の内側はアーチが最も高く、ミッドソールも厚い。そのため、この部位に高い第１埋設部が配置された場合、プロネーションの抑制効果が大きく、足裏に突き上げを感じにくい。
【００２４】
本発明において、前記アウトソールの前記接合面から前記ミッドソールの前記上面までの距離は、前記中足部の内側および後足部の内側において、前記内側の縁に近づくに従い大きく形成されており、前記内側の縁は前記中足部において括れた括れ部を有し、前記埋設部は前記中足部から前記後足部に５個以上設けられ、前記中足部の内側縁および後足部の内側縁に沿った、かつ、前記括れ部に沿った形状の仮想の曲線上に前記各埋設部が配置されているのが好ましい。
【００２５】
この実施例の場合、中足部および後足部の双方に埋設部を設け、かつ、前記括れ部に沿って埋設部が設けられるので、埋設部の数は５個以上になるであろう。埋設部が４個以下であると、埋設部が大型化したり、あるいは、足裏に突き上げを感じ易い。ミッドソール本体の内側縁に沿った部位は足裏の巻き上げ形状に合わせて厚くなっている。この厚くなった部位は圧縮変形し易い。したがって、この部位に沿った曲線上に埋設部が配置されることで、プロネーションの抑制効果が大きい。
【００２６】
前記態様において、前記各埋設部は頂面を有し、前記内側縁に近づくに従い斜め上方に向って延びるように、前記埋設部の頂面が傾斜しているのが好ましい。
この場合、足裏の横断面の形状に沿った形状を埋設部の頂面が持つ。そのため、プロネーションの抑制効果が更に大きい。
【００２７】
本発明において、前記アウトソールの前記接合面から前記ミッドソールの前記上面までの距離は、前記中足部の内側および後足部の内側において、前記内側の縁に近づくに従い大きく形成されており、前記各埋設部は頂面を有し、前記内側縁に近づくに従い斜め上方に向って延びるように、前記埋設部の頂面が傾斜しているのが好ましい。
この場合、足裏の横断面の形状に沿った形状を埋設部の頂面が持つ。そのため、プロネーションの抑制効果が大きい。
【００２８】
本発明において、前記第１領域の前記下部よりも上方の上部に前記ミッドソール本体が更に設けられ、前記頂面が傾斜した埋設部の上方におけるミッドソール本体の上面に沿って前記頂面が傾斜しているのが好ましい。
【００２９】
この場合、埋設部を設けたミッドソール本体の第１領域の下部は圧縮変形しにくい。しかも、前記埋設部よりも上方のミッドソール本体の上面は前記頂面に沿って概ね平行に傾斜しており、したがって、靴底の内側縁の部分が厚くても、埋設部よりも上方の柔らかいミッドソールの部分が厚くないので圧縮変形が小さい。その結果、プロネーションの抑制効果が大きい。
【００３０】
前記態様において、前記後足部の内側には、前記内側縁に設けた前記埋設部よりも踵骨の中央に近い部位に補助の埋設部が設けられ、前記補助の埋設部の高さが前記内側縁に設けた埋設部よりも低いのが好ましい。
【００３１】
この場合、前記補助の埋設部を設けたミッドソール本体の第１領域の下部も圧縮変形しにくい。前記内側縁に設けた埋設部は補助の埋設部よりも高い。そのため、プロネーションの抑制効果が大きい。
【００３２】
本発明において、前記後足部の内側に設けた前記埋設部のうち２個以上の埋設部は、踵骨の載距突起を除く踵骨の部位よりも内側に配置されているのが好ましい。
【００３３】
内外の踝は踵骨よりも幅方向に出っ張っている。また、踵骨は載距突起の部位を除くと足の幅方向にさほど大きくない。そのため、後足外側から着地した後に踵骨が内側へ倒れ込み易い。
【００３４】
ここで、載距突起は足の底面から離れた上方において内側に出っ張っている。そのため、載距突起を除く踵骨の部位よりも内側において２個以上の埋設部が配置されることで、足の内側への倒れ込みを抑制し得る。
【００３５】
本発明において、前記連結部の上面は前記ミッドソール本体の前記下面に固着されているのが好ましい。
この場合、前後方向に延びる連結部がミッドソール本体の下面に固着されていることにより、足の屈曲時におけるミッドソールの曲げ剛性の増大に寄与するだろう。
【００３６】
前記態様において、前記各埋設部の前記外周面が前記各孔の前記内周面においてミッドソール本体に固着されていることで、前記各孔のまわりの前記第１領域の前記下部が上下に圧縮変形されるのが抑制され、これにより、前記第１領域の前記下部は、前記第１領域の上部および第２領域のミッドソール本体よりも圧縮変形しにくくしてもよい。
【００３７】
この態様によれば、孔と孔との間のミッドソール本体は、硬質の埋設部に固着されて圧縮変形しにくい。そのため、第１領域の下部は第１領域の上部のミッドソール本体が波を打ったように変形するのを抑制する。したがって、着用者は硬い埋設部による突き上げを更に感じにくい。
【００３８】
本発明において、前記ミッドソールは前記第１領域において前記埋設部の上方を覆う非発泡体の樹脂プレートを包含し、前記ミッドソール本体は前記プレートの下面に接合された下ミッドソール本体と、前記プレートの上面に接合された上ミッドソール本体とを包含するのが好ましい。
この態様によれば、埋設部の上方にプレートが配置されており、着用者は埋設部からの突き上げを殆ど感じなくなる。
【００３９】
前記態様において、前記各孔は前記下ミッドソール本体を上下に貫通して形成されているのが好ましい。
この態様によれば、孔の深さの精度が向上される。
【００４０】
本発明において、前記ミッドソール本体の色彩と前記硬質部材の色彩とが互いに異なっており、前記第１領域に配置された前記アウトソールは半透明のゴムで形成された視認部を有しており、前記硬質部材が前記視認部を介してアウトソールの下方から視認可能であるのが好ましい。
この態様によれば、たとえは、前記硬質部材が有彩色で、かつ、前記ミッドソールの色彩が無彩色の場合など、靴底のデザイン性が高い。
【００４１】
本発明において、前記アウトソールは複数のパーツからなり、前記第１領域に配置されたパーツは前記視認部の周縁にループ状に設けられた枠部と、前記視認部とが一体に形成され、前記枠部がカーボンブラックを補強用の充填材とする黒色のゴムで形成されているのが好ましい。
【００４２】
この態様によれば、有彩色の硬質部材の視認性を楽しめると共に、枠部には補強用の充填材としてカーボンブラックが入っており、摩耗し易い周縁の部分の耐摩耗性が高い。
なお、枠部のゴムにカーボンブラックに代えて他の色彩の顔料および他の補強用の充填材を入れることもできるが、この場合、カーボンブラックを含む黒色のゴムに比べ耐磨耗性が低くなるだろう。
【００４３】
本発明において、前記ミッドソール本体の素材のＪＩＳＣ硬度が４５°〜６５°に設定されており、前記硬質部材のＪＩＳＡ硬度が５５°〜９５°に設定されているのが好ましい。
【００４４】
ミッドソール本体のＪＩＳＣ硬度が４５°未満であるとミッドソール本体の沈み込みが大きくなり、着用者が前記硬質部材による足裏への突き上げを感じる。一方、ミッドソール本体のＪＩＳＣ硬度が６５°を越えると十分なクッション性が失われる。
【００４５】
硬質部材のＪＩＳＡ硬度が５５°未満であると、硬質部材が変形してプロネーションを十分に抑制し得ない場合がある。一方、硬質部材のＪＩＳＡ硬度が９５°を越えると着用者が該硬質部材による突き上げを感じる場合がある。
【図面の簡単な説明】
【００４６】
【図１】図１は本発明の実施例１にかかる靴底を示す底面図である。
【図２】図２は同靴底を備えた靴を底面から見た斜視図である。
【図３】図３Ａは図１におけるIIIA-IIIA 線断面図であり、図３Ｂは図１におけるIIIB-IIIB 線断面図である。
【図４】図４Ａは下ミッドソール本体を示す底面図、図４Ｂは硬質部材を示す平面図、図４Ｃは硬質部材４を示す側面図である。
【図５】図５は樹脂プレートを装着したミッドソール本体を底面から見た斜視図である。
【図６】図６は上ミッドソール本体、ヒールカップおよび下ミッドソール本体を示す分解斜視図である。
【図７】図７は硬質部材を固定した下ミッドソール本体およびアウトソールを底面から見た斜視図である。
【図８】図８は硬質部材および下ミッドソール本体を底面から見た分解斜視図である。
【図９】図９は硬質部材および下ミッドソール本体の分解斜視図である。
【図１０】図１０は靴を示す内側から見た側面図である。
【図１１】図１１は靴を示す外側から見た側面図である。
【図１２】図１２は靴底を示す底面図である。
【図１３】図１３は靴を底面から見た斜視図である。
【図１４】図１４は本発明の実施例２にかかる中足部の横断面図であり、図１４は同後足部の横断面図である。
【図１５】図１５Ａ、図１５Ｂおよび図１５Ｃは埋設部および孔の構造の例を示す概略断面図である。
【図１６】図１６Ａ、図１６Ｂおよび図１６Ｃは埋設部および孔の構造の例を示す概略断面図である。
【図１７】図１７Ａ、図１７Ｂおよび図１７Ｃは埋設部および孔の構造の例を示す概略側面図である。
【符号の説明】
【００４７】
１Ｆ：前足部
１Ｃ：中足部
１Ｒ：後足部
２：ミッドソール
２i ：孔
２4 ：第１孔
２ｂ：括れ部
２ｄ：下面
２ｅ：内側縁
２ｕ：上面
３：ヒールカップ（樹脂プレートの一例）
４：硬質部材
４i ：埋設部
４4 ：第１埋設部
４ａ：補助の埋設部
４ｈ：頂面
５，５Ａ：アウトソール
６：靴底
２０：上ミッドソール本体
２９：下ミッドソール本体
４０：連結部
５０：接合面
５１：接地面
５２：視認部
５３：枠部
Ｂ９：踵骨
Ｂ９ｕ：載距突起
Ｃ：軸線
Ｄ１：第１領域
Ｄ２：第２領域
ＶＬ：仮想の曲線
Ｙ：前後方向
【発明を実施するための最良の形態】
【００４８】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。【００４９】
以下、本発明の実施例が図面にしたがって説明される。
実施例１：
図１〜図１３は実施例１を示す。
全体構成；
図１０および図１１において、本靴底６を備えた靴は、足の甲を包むアッパー１、ミッドソール２、ヒールカップ（樹脂プレートの一例）３およびアウトソール５などを備えている。前記靴底６は、前足部１Ｆ、中足部１Ｃおよび後足部１Ｒが足の前後方向Ｙに連なって設けられている。【００５０】
本実施例において、「前足部」とは足のアーチを含まない部分で、たとえば図１に示す中足骨Ｂ４i の骨頭前方の部分として把握される。「中足部」とは、たとえば中足骨Ｂ４i の骨体および骨底、楔状骨Ｂ５i 、舟状骨Ｂ６および立方骨Ｂ７を含み、前足部と後足部との間に配置される部分をいう。「後足部」とはたとえば距骨Ｂ８および踵骨Ｂ９などの足の踵を含む部分をいう。【００５１】
ミッドソール２は上面２ｕおよび下面２ｄを有し着地の衝撃を緩衝する。アウトソール５は前記ミッドソール２の下面２ｄに接合される接合面５０と路面に接地する接地面５１を有する。【００５２】
図６において、ミッドソール２は上ミッドソール本体２０および下ミッドソール本体２９に分割されたミッドソール本体２０、２９を有しており、該ミッドソール本体２０、２９はたとえばＥＶＡのような樹脂の発泡体で形成されている。前記ミッドソール２は、ヒールカップ３（非発泡体の樹脂プレート）および緩衝要素２１（図１１）を有している。前記緩衝要素２１としては、たとえば、ゲルと呼ばれるゴム弾性を有する樹脂の非発泡体を採用することができる。【００５３】
図５に示すように、前記上ミッドソール本体２０は前足部１Ｆ、中足部１Ｃおよび後足部１Ｒの全域にわたって設けられている。
図６に示すように、上ミッドソール本体２０の中足部１Ｃおよび後足部１Ｒの下方にはヒールカップ３が設けられている。ヒールカップ３の下方には下ミッドソール本体２９が設けられている。【００５４】
図１１に示すように、後足部１Ｒには前記緩衝要素２１がヒールカップ３の下方に配置されている。前記緩衝要素２１はミッドソール２を構成する発泡体よりも緩衝特性に優れた素材を用いるのが好ましいが、たとえばエアを密封した鞘状のパーツであってもよい。【００５５】
図１０および図１１に示すように、アウトソール５の接合面５０は、上下のミッドソール本体２０，２９の下面２ｄに接合されている。前記アウトソール５はミッドソール２よりも耐摩耗性が良く、かつ、ヤング率の大きいゴムで形成されている。【００５６】
ヒールカップ３；
前記ヒールカップ３は樹脂の非発泡体からなり、図６に示すように、上ミッドソール本体２０の中足部１Ｃおよび後足部１Ｒの下面２０ｄに接着される。
図３Ｂに示すように、前記ヒールカップ３は全体が舟状で、内側Ｍまたは外側Ｌに近づくに従い上方に向って延びるように巻き上がった形状を有する。図１および図６に示すように、前記ヒールカップ３は前記後足部１Ｒから中足部１Ｃに向って延び、前記中足部１Ｃおよび後足部１Ｒにおいて足の内側Ｍおよび外側Ｌを支持する。【００５７】
図６に示す前記下ミッドソール本体２９は前記ヒールカップ３の下面３ｄに接着される。一方、上ミッドソール本体２０は前記ヒールカップ３の上面３ｕに接着される。【００５８】
第１および第２領域Ｄ１，Ｄ２；
前記ミッドソール本体２０，２９は、図１に示す中足部１Ｃの内側Ｍおよび後足部１Ｒの内側Ｍを含む第１領域Ｄ１と、前記前足部１Ｆ、中足部１Ｃおよび後足部１Ｒにおける第１領域Ｄ１以外の第２領域Ｄ２に設けられている。
たとえば、前記第１領域Ｄ１は、中足部１Ｃの第１中足骨Ｂ４1 の骨体および骨底と、第１楔状骨Ｂ５1 と、舟状骨Ｂ６と、踵骨Ｂ９の内側Ｂ９ｍとを概ね含む領域に設定されている。【００５９】
図６に示すように、上ミッドソール本体２０は第１領域Ｄ１および第２領域Ｄ２からなる足裏の概ね全面に設けられている。一方、図４Ａおよび図５に示すように、下ミッドソール本体２９は、前記第１領域Ｄ１と、中足部１Ｃおよび後足部１Ｒの外側Ｌ（図１）を含む部分とが一体で、“Ｊ”字状に形成されている。【００６０】
下ミッドソール本体２９；
図８に示すように、下ミッドソール本体２９の内側Ｍには、つまり、前記第１領域Ｄ１の下部２９ｄには、多数の孔２i が前記前後方向Ｙに互いに離間して形成されている。前記各孔２i は下方Ｘ１（図８の上方）に向って開口し、かつ、上下方向Ｘに延びる軸線Ｃのまわりの内周面２ｆを有する。【００６１】
硬質部材４；
図４Ａの下ミッドソール本体２９の前記第１領域Ｄ１には、図４Ｂの硬質部材４の埋設部４i が嵌め込まれる多数の孔２i が設けられている。
図４Ｂに示す前記硬質部材４は、埋設部４i と埋設部４i とを互いに連結する連結部４０を備えている。【００６２】
図９に示す各連結部４０の上面４０ｕは、図８に示す下ミッドソール本体２９の下面２９ｄに固着される。一方、各埋設部４i の外周面４ｆは前記各孔２i の内周面２ｆ（図８）において下ミッドソール本体２９に固着される。
なお、図５に示すように、硬質部材４の前端部には、硬質部材４の該前端部を上ミッドソール本体２０に固着するための固定端部４１が一体に形成されている。【００６３】
前記ミッドソール本体２０，２９の素材のＪＩＳＣ硬度は４５°〜６５°に設定されている。前記硬質部材４のＪＩＳＡ硬度は５５°〜９５°に設定されている。【００６４】
埋設部４i ；
図４Ａに示すように、下ミッドソール本体２９の第１領域Ｄ１の前後方向Ｙの中間部分には、前記孔２i のうち前記軸線Ｃ（図８および図９）に略直交する断面における断面積の最も大きい第１孔２4 が設けられている。
一方、図４Ｃに示すように、前記第１領域Ｄ１（図１）の前後方向Ｙの中間部分には、埋設部４i のうち高さＨの最も高い第１埋設部４3 が設けられている。【００６５】
図１に示す踵骨Ｂ９の前部の内側Ｂ９ｍの部位はアーチが最も高く、ミッドソール２も厚い。そのため、当該部位には図４Ｃに示す高さＨの最も高い第１埋設部４3 が配置されており、これにより、プロネーションの大きな抑制効果が得られる。【００６６】
前記各埋設部４i は、前記第１埋設部４3 よりも後方Ｙ２に行くに従い各埋設部４1 〜４2 の高さＨが次第に低くなっており、前記第１埋設部４3 よりも前方Ｙ１に行くに従い各埋設部４4 〜４8 の高さＨが次第に低くなっている。
このように、下ミッドソール本体２９（図３Ａおよび図３Ｂ）の厚さに応じて、各埋設部４i の高さＨが変化されている。【００６７】
図１２に示すように、本靴底６の内側Ｍの縁２ｅは中足部１Ｃにおいて括れた括れ部２ｂを有している。
前記埋設部４i は、中足部１Ｃから後足部１Ｒに向って５個以上設けるのが好ましい。本実施例１では埋設部４i は８個設けられている。
前記各埋設部４i は中足部１Ｃの内側の縁２ｅおよび後足部１Ｒの縁２ｅに沿った、かつ、前記括れ部２ｂに沿った形状の仮想の曲線ＶＬ上にそれぞれ配置されている。【００６８】
図３Ｂに示すように、アウトソール５の接合面５０からミッドソール２の上面２ｕまでの距離Ｈ２は、中足部１Ｃ（図１）の内側Ｍおよび後足部１Ｒの内側Ｍにおいて、内側Ｍの縁２ｅに近づくに従い大きく形成されている。つまり、図３Ａおよび図３Ｂに示すように、接合面５０からミッドソール２の上面２ｕまでの距離は足裏の形状に合わせて内側Ｍの縁２ｅに近づくに従い大きくなる。【００６９】
図３Ｂに示すように、アウトソール５の接合面５０から埋設部４の頂面４ｈまでの距離Ｈ４は、前記距離Ｈ２と同様、内側Ｍの縁２ｅに近づくに従い大きくなっている。すなわち、前記距離Ｈ２およびＨ４はいずれも前記内側の縁２ｅに近づくに従い大きくなっている。したがって、前記距離Ｈ２が前記内側の縁２ｅに近づくに従い大きいのに対し、前記距離Ｈ４も内側の縁２ｅに近づくに従い大きいため、図３Ｂに示すように、内側の縁２ｅにおいて上ミッドソール本体２０が薄くなっている。【００７０】
各埋設部４i の頂面４ｈは、前記上ミッドソール本体２０の縁２ｅの巻上げ形状に合わせて、前記内側の縁２ｅに近づくに従い斜め上方に向って延びるように傾斜している。すなわち、埋設部４i の頂面４ｈは、下ミッドソール本体２９の上面２９ｕに沿って傾斜している。【００７１】
埋設部４i と骨との関係；
図１に示すように、前記踵骨Ｂ９は下面が略半球状であると共に、後足部１Ｒの前部の載距突起Ｂ９ｕは上方に配置されている。そのため、踵骨Ｂ９は踵の内側Ｍに倒れやすい。したがって、走者が本実施例１とは異なる平坦な靴底の靴を履いて走行する場合には、足の踵の外側から着地した後、踵が内側Ｍに倒れて過度の外反（プロネーション）が生じ易い。【００７２】
これに対し、本実施例１の靴底６は、前記埋設部４i のうち最も高さＨの高い第１埋設部４3 （図４Ｃ）が、踵骨Ｂ９の載距突起Ｂ９ｕの前部の内側Ｂ９ｍよりも更に内側寄りに配置されている。
つまり、後足部１Ｒの内側Ｍに設けた埋設部４i のうち２個以上の埋設部４i は、踵骨Ｂ９の載距突起Ｂ９ｕ（細かい網点を施した部分）を除く踵骨Ｂ９の部位（荒い網点を施した部分）よりも内側に配置されている。
このように、圧縮変形が生じにくい硬質の埋設部４i を後足部１Ｒの内側Ｍに配置することにより、踵の過度の倒れ込みが抑制される。すなわち、過度のプロネーションが抑制される。【００７３】
補助の埋設部４ａ；
図１に示す後足部１Ｒの内側Ｍには、内側縁２ｅに設けた埋設部４1 〜４3 よりも踵骨Ｂ９の中央に近い部位に補助の埋設部４ａが設けられている。図４Ａに示すように、下ミッドソール本体２９の前記補助の埋設部４ａに対応する部分には、補助の孔２ａが設けられている。
図４Ｃに示すように、前記補助の埋設部４ａの高さは前記内側縁に設けた埋設部４1 〜４3 よりも低い。【００７４】
視認部５２；
図７の網点で示すように、下ミッドソール本体２９の色彩と硬質部材４の色彩とは異なっている。
図１２および図１３に示すように、前記アウトソール５は複数のパーツからなり、前記第１領域Ｄ１（図１）に配置されたアウトソールのパーツ５Ａは、細かい網点で示す視認部５２を有している。前記視認部５２はシリカ（ＳｉＯ2 ）を補強用の充填材とする半透明のゴム５０１で形成されている。そのため、硬質部材４が視認部５２を介して前記アウトソールのパーツ５Ａの接地面５１から視認可能である。【００７５】
前記第１領域Ｄ１に配置された２つのアウトソールのパーツ５Ａは、前記視認部５２の周縁にループ状に設けられた枠部５３と、前記視認部５２とが一体に形成されてなる。前記枠部５３はカーボンブラックを補強用の充填材とする黒色のゴム５０２で形成されている。【００７６】
図３Ｂに示すように、視認部５２を形成する半透明のゴム５０１はパーツ５Ａの周縁の下部以外の部分に設けられ、一方、黒色のゴム５０２はパーツ５Ａの周縁の下部に設けられている。前記両ゴム５０１、５０２は加硫時に互いに一体に固着される。【００７７】
実施例２：
図１４Ａおよび図１４Ｂは実施例２を示す。
本実施例においては、埋設部４i の上方において、ミッドソール本体２０Ａの上面２ｕと埋設部４i の傾斜面４ｓとは概ね平行である。
より好ましくは、傾斜面４ｓが水平線ＨＬとなす角θ１は、ミッドソールの上面２ｕが水平線ＨＬとなす角θ２よりも大きい。このように設定されることで、埋設部４i の上方においてはミッドソール本体２０Ａの厚さが内側Ｍの縁に近づいても厚くならない。そのため、足が内側に倒れにくい。【００７８】
なお、本実施例２ではヒールカップを有していない。
その他の構成は、実施例１と同様であり、同一部分または相当部分に同一符号を付して、その説明を省略する。【００７９】
つぎに、埋設部４i と孔２i の構造の例について説明する。
図１５Ａおよび図１５Ｂは、それぞれ、前記実施例１および２の構造を模式的に示す。
図１５Ｃに示す例においてヒールカップ３の上にはミッドソール本体が設けられていない。【００８０】
図１６Ａに示す例の場合、孔２i におけるミッドソール２の下面と埋設部４i の頂面４ｈとの間には、間隙１００が存在している。このような間隙１００は製造技術上、生じることがある。この場合、間隙１００の高さは２．０〜３．０ｍｍ以下になることが多いであろう。【００８１】
図１６Ｂに示す例の場合、孔２i がミッドソール２を上下に貫通しており、かつ、孔２i の上部に空隙１０１が存在している。この場合、前記空隙１０１に図１６Ｃに示す充填部材１０２が埋設されてもよい。前記充填部材１０２としてはミッドソール２を形成する部材よりも柔らかい部材または硬い部材を入れる。【００８２】
図１６Ｂの空隙１０１がある場合、孔２i の内周面と埋設部４i の外周面との間が滑らないように固着（接着）されていればプロネーションの抑制効果が得られるだろう。【００８３】
図１７Ａに示す例の場合、孔２i におけるヒールカップ３の下面と埋設部４i の頂面４ｈとの間には、間隙１００が存在している。このような間隙１００は製造技術上、生じることがある。【００８４】
図１７Ｂに示す場合、上ミッドソール２０に空隙１０１が存在している。この場合、空隙１０１に図１７Ｃに示す充填部材１０２が埋設されてもよい。【００８５】
前記の各例において、図１６Ａおよび図１７Ａの間隙１００が微小である場合、たとえば間隙１００の高さが２．０〜３．０ｍｍ以下である場合には、プロネーションの抑制効果に大きな影響はないだろう。つまり孔２i の天面埋設部４i の頂面４ｈとの間の距離は２．０ｍｍ〜３．０ｍｍ以下が好ましい。【００８６】
一方、前記間隙１００の高さが５ｍｍを超える場合にはプロネーションの抑制効果が低下するだろう。しかし、この場合においても、孔２i の内周面と埋設部４i の外周面との間が滑らないように固着（接着）されていればプロネーションの抑制効果が得られるだろう。【００８７】
以上のとおり、図面を参照しながら好適な実施例を説明したが、当業者であれば、本明細書を見て、自明な範囲で種々の変更および修正を容易に想定するであろう。【００８８】
たとえば、硬質部材は前後方向に１列だけ設けられていてもよい。
硬質部材は前後に分割して２つ設けられていてもよい。
埋設部は後足部または中足部の一方にのみ設けられていてもよい。つまり、第１領域は中足部または後足部の一方にのみ設けられてもよい。
また、補助の埋設部は、適宜設けられてもよい。【００８９】
埋設部の頂面とヒールカップとの間に隙間があってもよい。また、ヒールカップを設けない場合、埋設部の頂面とミッドソール本体との間に隙間があってもよい。【００９０】
視認部を有するアウトソールは、埋設部が設けられていない場合においても、靴底のデザイン性を高める。この場合、埋設部に代えてミッドソールの下面に図形や模様樹脂パーツなどが設けられていてもよい。【００９１】
第１領域の全域にアウトソールが設けられていてもよい。
第１領域のミッドソール本体の硬度が第２領域のミッドソール本体の硬度よりも大きくてもよい。【００９２】
したがって、そのような変更および修正は、請求の範囲から定まる本発明の範囲のものと解釈される。
【産業上の利用可能性】
【００９３】
本発明は、日常、スポーツおよび競技において着用する運動靴に適用することができる。
【図１】
2010049983.tif 000003
【図２】
2010049983.tif 000004
【図３】
2010049983.tif 000005
【図４】
2010049983.tif 000006
【図５】
2010049983.tif 000007
【図６】
2010049983.tif 000008
【図７】
2010049983.tif 000009
【図８】
2010049983.tif 000010
【図９】
2010049983.tif 000011
【図１０】
2010049983.tif 000012
【図１１】
2010049983.tif 000013
【図１２】
2010049983.tif 000014
【図１３】
2010049983.tif 000015
【図１４】
2010049983.tif 000016
【図１５】
2010049983.tif 000017
【図１６】
2010049983.tif 000018
【図１７】
2010049983.tif 000019
【国際調査報告】
2010049983.tif 000020
2010049983.tif 000021
2010049983.tif 000022
2010049983.tif 000023